(57)【要約】      （修正有）【課題】簡易な構成で接続施工が容易にでき、且つ接続部の引き抜き強度が強く、永続的な使用に耐え、また仮設用としても容易に取り付け取り外しができる接続構造を得ること。【解決手段】所要の長さの接続パイプ本体１に弾性を有する板状の係止体２を設け、該先端が斜め下外方向で上記雨水排出口６に突っ張り状に弾発付勢する係止先端部３をそれぞれ設け、また該係止体の基端を接続パイプ本体の上部近傍に設け、且つ該基端から接続パイプ本体の内側に膨らみを持った膨出部４を形成すると共に該先端が斜め下外方向となる略鉤爪状に形成する事とし、さらに、仮設用として係止体のそれぞれの所要部に係止解除部材を設ける事としている。【選択図】図３
2005194719.tif 000002
【特許請求の範囲】
【請求項１】
ベランダ又はバルコニーなどの雨水排出口に設けられたドレーン口金に接続される接続パイプ本体に於いて、所要の長さの接続パイプ本体の上部近傍に少なくとも二カ所に係止体を設け、該係止体は弾性を有する板状体で、該先端が斜め下外方向で突っ張り状に上記雨水排出口に弾発付勢する係止先端部をそれぞれ設けたことを特徴とする竪樋の接続部構造。
【請求項２】
請求項１の係止体は、該基端が接続パイプ本体の上部近傍に設けられ、且つ該基端から接続パイプ本体の内側に膨らみを持った膨出部を形成し、該先端が接続パイプ本体の外径と略同径の状態で位置すると共に斜め下外方向となる側面略鉤爪状に形成したことを特徴とする竪樋の接続部構造。
【請求項３】
請求項１又は請求項２の係止体のそれぞれの所要部に係止解除部材を設けたことを特徴とする竪樋の接続部構造。
【発明の詳細な説明】
【技術分野】
【０００１】  本発明は、ベランダ又はバルコニーなどの雨樋のドレーン口金などに接続する竪樋の接続部構造に関する。
【背景技術】
【０００２】  従来の雨樋の接続部構造で、特に集水器またはドレーン口金とエルボ又は接続パイプ又は竪樋の接続に於いて、特許文献１として、ドレイン口金にホース接続用パイプを係止部材と連結部材を介して係止連結する接続部構造で、詳しくは連結部材１５が連結された係止部材１８をドレイン口金１３の上部端に係止し、該連結部材１５の他端をホース接続用パイプ１４の係止部材１９の下部で係止して連結する仮設竪雨樋の接続部構造が知られている。【０００３】  また、特許文献２及び特許文献３として、集水器にエルボ又は接続パイプ又は竪樋の接続に連結リングを介して係止連結する接続部構造が集水器及び雨樋集水器が知られている。【０００４】  上記特許文献２の集水器は、集水器１の連結筒２のフランジ８及び突起９と連結リング４の突台１１とが係合し、また連結リング４の内フランジ５及びストッパー２２と配水管３の係止突起７がそれぞれ係合することで、連結リング４を介して係止連結する接続部構造が示されている。【０００５】  また同様に特許文献３の雨樋集水器は、上記特許文献２と略同様に集水器本体１と接続筒１１を係合リング５を介して係止連結する接続部構造で、詳しくは、排水筒３の係合片４と係合リング５の突片６が係合すると共に接続筒１１の突起１２と係合リング５のフック７と山部９谷部１０にそれぞれ係合することで、係合リング５を介して係止連結する接続部構造が示されている。【０００６】
【特許文献１】  特開２００１−１７３１７２号  公報
【特許文献２】  実公昭５９−２８１２６号  公報
【特許文献３】  特開平１１−２９３８６８号  公報
【０００７】  さらに、従来ベランダ又はバルコニーなどの雨樋は、図８示すような排水パイプ１１から分岐するように施工するフロアードレーンと、図９に示すような上から下に直列に排水パイプ１１で結ぶ中継ドレーンが一般的に施工され、ここで言うフロアードレーン及び中継ドレーンは、生コンクリートを打設するとき、同時にドレーン口金を設置する打込型フロアードレーン及び打込型中継ドレーンを示している。【０００８】  そして、上記打込型は、生コンクリートを打設するときに、生コンクリート流出止め用のパイプをドレーン口金と共に設置し、該パイプは、後述する雨水排出口として使用し、またこれは一般市販され、特に配水管施工で多く使用されているパイプで、多くは塩化ビニール製が使用されているものである。
【発明の開示】
【発明が解決しようとする課題】
【０００９】  上述した従来の特許文献１の構造物の仮設竪雨樋は、ベランダなどの上層階と下層階にまたがるように、雨水排出口のドレイン口金の上部端と下部に係止しているため、本設竪樋取り付けのための仮設竪雨樋の撤去時、一人で一端上層階で係止部材１８をドレイン口金１３から外した後、下層階に降りてきて取り外すが、又は上層と下層それぞれ二人で取り外し作業を行うかで、手間及び人手が必要でコストが掛かると共に煩雑であった。【００１０】  また、特許文献２及び特許文献３は、ベランダ又はバルコニーなどの竪樋よりも軒樋の集水器に用いられるもので、通常多くはプラスチック製で、成型するとき予め突起などを成型する専用パーツとして成型する必要があり、またその突起は大きな力に対して弱く割れることがあり、耐久性に問題があった。【００１１】  そこで、その接続部に大きな力が加わらないように設置施工する必要があり、接続部に大きな力が加わらないように竪樋などを十分に保持することが必要となり、また係合リングという余分なパーツに伴う部品コスト及び施工工数が増え、コスト高となっていた。【００１２】  さらに、従来施工法の打込フロアードレーンは、図８に示すように排水パイプ１１から分岐する分岐パイプ１２を支持金具１３によって吊設する必要があり、余分に支持金具１３が必要で、その分コストが掛かっており、また分岐パイプ１２が短い場合は支持金具１３を使用しないが、ドレーン口金に接着のみで保持するので、温度差の収縮で外れる虞があり至って不安である。【００１３】  加えて、従来施工法の打込中継ドレーンは、図９に示すように接続用パイプ１４にジョイント１５を介して中継排水パイプ１６を接着接続し、各階連続して直列に接続して施工される。【００１４】  その直列に接続された接続用パイプ１４、ジョイント１５と中継排水パイプ１６の全長が長いと上部天井のドレーン口金７と下部床の中継用ストレーナー１７との間に挿入施工ができず、そこで上部のドレーン口金７に最も深く嵌入したときに下端が中継用ストレーナー１７に嵌入できる程度の長さに全長を設定し、その状態で該中継用ストレーナー１７の上部端より若干下がった位置まで挿入し、通常２０ミリ程度下げた状態で固定している。【００１５】  つまり、接続用パイプ１４を接続するドレーン口金７の接続部分が短く、接続用パイプ１４を上下して調整する幅がほとんど無く、ぎりぎりの巾で調整している。【００１６】  このことにから、中継排水パイプ１６を下げすぎると上部から水漏れを起こし、下げが少ないと雨水の排水量が増えたとき、下部の中継用ストレーナー１７の横から水が噴き出たり、飛び散ったりすることがあり対応が急がれ、また施工時の調整作業も繁雑であった。【００１７】  また、これらに加えて構成が簡易で、接続施工が容易にでき、且つ接続部の引き抜き強度が強く永続的な使用に耐え、さらに仮設用としても容易に取り付け取り外しができる接続構造が、広く求められていた。
【課題を解決するための手段】
【００１８】  本発明は、上記課題を有効に達成するために、第１の解決手段として、所要の長さの接続パイプ本体の上部近傍に少なくとも二カ所に係止体を設け、該係止体は弾性を有する板状体で、該先端が斜め下外方向で突っ張り状に上記雨水排出口に弾発付勢する係止先端部をそれぞれ設けることで、容易に施工できると共に引き抜き強度に対して強力に支持する事としている。【００１９】  また、第２の解決手段は、係止体は、該基端が接続パイプ本体の上部近傍に設けられ、且つ該基端から接続パイプ本体の内側に膨らみを持った膨出部を形成し、該先端が接続パイプ本体の外径と略同径の状態で位置すると共に斜め下外方向となる略鉤爪状に形成することで、容易に施工できると共に施工傷が付かず、引き抜き強度に対しても強力に支持する事としている。【００２０】  さらに、第３の解決手段は、係止体のそれぞれの所要部に係止解除部材を設けることで、取付取り外しが容易な仮設用に使用するときに用いる事としている。
【発明の効果】
【００２１】  本発明は、上述したそれぞれの手段によって有効な効果を得ようとするもので、特に第１の解決手段により、ドレーン口金に挿入するだけで接着することなく容易に接続施工でき、且つ打込中継ドレーン工法により、接続パイプと中継排水パイプ１６を接着しなくても良いまで上下位置調節が簡易にでき、よって施工に於ける容易性と接着作業及び支持金具など必要とせず簡易な構成でコスト削減になり、また打込フロアードレーンと打込中継ドレーンの両方に使用でき、打込中継ドレーンのストレーナーから雨水が噴き出し及び飛び散りが無く、さらに引き抜き強度に対して強力に支持でき、加えてその係止体は板状であるため、棒状のように横曲がりせず頑強で容易に壊れないので耐久性がある。【００２２】  また第２の解決手段により、上記と同様の効果と、さらに引き抜き強度に対して突っ張り力が大きく、より大きな支持力と施工の容易性が得られ、また挿入施工する時、係止体による挿入傷が付かず、施工クレームとならない。【００２３】  さらに第３の解決手段により、仮設用として一人で施工及び取り外しが容易にでき、また仮設から本設施工と一連の施工が素早く容易にでき、そして簡易な構成により低コストでの仮設の雨樋施工ができる。よって、以上のことから実用上著大な効果を奏する。
【発明を実施するための最良の形態】
【実施例１】
【００２４】  本発明の実施例１を図面に基づいて説明すると、図１及び図２に於いて、１は接続パイプ本体で、該接続パイプ本体１は、一般市販され、特に配水管施工で多く使用されているパイプで、多くは塩化ビニール製が使用され、その所定長さの接続パイプ本体１の上部内側に係止体２、２、…を四カ所設けている。【００２５】  上記係止体２、２、…は、図１及び図２に示すように弾性を有する板状の側面略鉤爪状で、該先端部を係止先端部３、３、…として形成し、基端側に接続パイプ本体１の内側に膨らみを持った膨出部４、４、…を形成している。【００２６】  また、係止体２、２、…の係止先端部３、３、…は、後述する雨水排出口６に対して斜め下向きの略鋭角で、外方向に突っ張り状に弾発付勢するように設けられ、且つ該係止先端部３、３、…は、接続パイプ本体１の外径乃至若干突出する程度の状態で当初位置する【００２７】  しかして、本発明品を使用して雨水配水管工事を打込中継ドレーンの施工法でするとき、図３に示すように廊下、バルコニーなどの床５の雨水排出口６に設けられたドレーン口金７に下の階から接続パイプ本体１を差し込む、これは係止体２、２、…の膨出部４、４、…と係止先端部３、３、…がドレーン口金７の排出口９の外側と雨水排出口６の内側に接触支持しながら差し込まれることで施工され、該ドレーン口金７は、一般市販されている汎用のもので、また図示８ａは、廊下及びバルコニー用の排水口ストレーナーである。【００２８】  そこで、雨水排出口６及びドレーン口金７に於いて、雨水排出口６は、ベランダ又はバルコニーなどの床５として施工する時、生コンクリートを打設する時にその生コンクリートが流出しないように流出止めとして予め設けられるパイプで、ドレーン口金７もそのパイプ内に該打設と同時に設けられ、該パイプである雨水排出口６の内径とドレーン口金７の排出口９の外径との間に若干の間隔を空けて、打込型のドレーンとして施工される。【００２９】  該ドレーン口金７の形状は、上部を排水受け部８と排水口ストレーナー８ａと下部に先細テーパー状の排出口９が形成されており、該排出口９と上記雨水排出口６との間に接続パイプ本体１を差し込み、竪樋の接続部構造としている。【００３０】  そこで詳説すると、該排出口９と上記雨水排出口６との間に接続パイプ本体１を差し込み接続するとき、図３及び図４に示すように先ず接続パイプ本体１を排出口９に外嵌差し込む、その時、先ず係止体２、２、…の膨出部４、４、…が先細テーパー状の排出口９に接触し、図４の矢視Ａの上方に差し込むことで膨出部４、４、…に矢視Ｂ方向の力が作用する。【００３１】  そして、係止先端部３、３、…は、所定量差し込まれると雨水排出口６の内側に接し、上に行くにしたがって先細テーパー状の排出口９によって矢視Ｂ方向に膨出部４、４、…が押され、係止先端部３、３、…が矢視Ｃ方向の雨水排出口６の内側に接触から強く密着しながら挿入され、係止体２、２、…が所定位置まで挿入されたとき突っ張り状となり、図５の挿入完了状態となる。【００３２】  そして次に、図５に示すように、接続パイプ本体１を矢視Ｄの引き抜き方向に力を加えると、係止先端部３が雨水排出口６の内側に強く食い込む方向の若干斜め上方向の矢視Ｅ方向に力が加わると共に突っ張り、また膨出部４も矢視Ｆ方向に力が加わり、係止先端部３と膨出部４が雨水排出口６の内側と排出口９の外側で突っ張って動きが止まり、よって接続パイプ本体１が引き抜けなくなる。【００３３】  つまり、各係止体２、２、…のそれぞれが突っ張り状態で雨水排出口６の内側に接続パイプ本体１を強力に支持し、各係止体２、２、…が変形しない限り突っ張り合って外れる事はない。【００３４】  上記のように接続パイプ本体１をドレーン口金７に接続施工し、そして図６に示すように、打込中継ドレーンとして各階に施工する時、中継排水パイプ１６を接続パイプ本体１に外嵌し、一旦上方に押し上げたのち下部の中継用ストレーナー１７に挿入し、所定位置で中継排水パイプ１６を市販の所定金具で固定する。【００３５】  これは、接続パイプ本体１の長さにおける調整幅が確保できることで、中継排水パイプ１６の上下巾が多く取れ、よって中継用ストレーナー１７に挿入する挿入量が十分確保でき、非常に簡易に施工でき、従来ドレーン口金７の短い排出口９の上下の調整幅に対して、従来とは大きく異なる調節巾と接続部を接着する事無く施工できる。
【実施例２】
【００３６】  本発明の実施例２は、上述実施例１のものとは別に竪樋本設工事までの期間、雨水配水管を仮設で使用し、その後本設施工するが、その仮設用に使用するもので、図７に示すように、仮設用接続パイプ本体１ａの二カ所に設けられた係止体２、２の先部近傍にワイヤーなどの紐状部材１０の両端をそれぞれに接続して、仮設用接続パイプ本体１ａの接続解除用として例示したものである。【００３７】  しかして、施工は上記実施例１と同様に施工すると共に係止体２、２の支持作用に於いても同様に作用し、仮設施工用として取り外しを前提として施工する仮設用接続パイプ本体１ａとして使用する。【００３８】  そこで、本設竪樋取り付けのための仮設竪雨樋の撤去時、仮設用接続パイプ本体１ａの係止体２、２に設けられたワイヤーなどの紐状部材１０を、図７に示すように下方のＧ方向に引く事により、係止体２、２の係止先端部３、３が内方向のＨ方向に移動し、よって雨水排出口６の内側に強く食い込むように支持されている係止先端部３、３がそこから離れてフリーとなり、仮設用接続パイプ本体１ａが雨水排出口６及び排出口９より容易に抜き取れる。【００３９】  また、仮設用接続パイプ本体１ａを雨水排出口６より抜き取るとき、強く食い込むように突っ張って、ワイヤーなどの紐状部材１０が引きにくい時、仮設用接続パイプ本体１ａを上方に少し持ち上げるように力を加えながらワイヤーなどの紐状部材１０を引くと、係止体２、２の係止先端部３、３の突っ張り力が無くなり雨水排出口６より離れてフリーとなり、容易に抜き取れる。【００４０】  なお、本実施例の係止体２は、接続パイプ本体１に四箇所及び仮設用として二箇所設けるとした実施例を示しているが、三箇所など適宜数量変更して使用しても良いが、図示は省略した。【００４１】  また、仮設用接続パイプ本体１ａの係止解除部材を紐状部材１０としているが、係止体２、２の係止先端部３、３の突っ張りを雨水排出口６より離して解除できるものであればワイヤーなどの紐状部材にこだわらない。
【図面の簡単な説明】
【００４２】
【図１】  本発明の実施例１の要部の側面部分断面図である。
【図２】  本発明の実施例１の平面図である。
【図３】  施工状態を示す要部の側面断面図である。
【図４】  係止体２の作用を示す要部の側面部分断面図である。
【図５】  係止体２の作用を示す要部の側面部分断面図である。
【図６】  本発明の打込中継ドレーンの施工状態を示す要部の側面部分断面図である。
【図７】  本発明の実施例２の使用状態を示す要部の側面図である。
【図８】  従来施工例の打込フロアードレーンの要部の側面断面図である。
【図９】  従来施工例の打込中継ドレーンの要部の側面断面図である。
【符号の説明】
【００４３】    １、接続パイプ本体
１ａ  仮設用接続パイプ本体
２  係止体
３  係止先端部
４  膨出部
５  ベランダ又はバルコニーなどの床
６  雨水排出口
７  ドレーン口金
９  排出口
１０  紐状部材
【図１】
2005194719.tif 000003
【図２】
2005194719.tif 000004
【図３】
2005194719.tif 000005
【図４】
2005194719.tif 000006
【図５】
2005194719.tif 000007
【図６】
2005194719.tif 000008
【図７】
2005194719.tif 000009
【図８】
2005194719.tif 000010
【図９】
2005194719.tif 000011